(57)【特許請求の範囲】
【請求項１】
育苗箱用播種機において、一定量の種子を凹部に嵌入させて繰出し、回転しながら搬送し、育苗箱へ落下させる繰出しロールにおいて、
前記繰出しロールを円筒筒状のロールの外周に、前記凹部を条溝形状の繰出凹状溝部として構成し、
前記繰出しロールを、ドーナツ状の単位樹脂板を複数枚重合した後に一体的に固定して構成し、
前記単位樹脂板の１枚毎の外周に、前記繰出凹状溝部の一部としての単位繰出凹状溝部を構成する溝を穿設し、
前記単位樹脂板の外周には、前記単位繰出凹状溝部を６０箇所設け、また内周には、フレーム構造体に係合させる為の半円状の穴を等配合に円周８カ所に設け、前記単位樹脂板を積み重ねるための位置決め用穴を等配合に円周８カ所に設けた
ことを特徴とする育苗箱用播種機の繰出しロール構造。
【請求項２】
請求項１記載の育苗箱用播種機の繰出しロール構造において、
前記単位樹脂板における、前記繰出しロールの軸心方向の厚さを、種籾の長手方向の長さの１．５〜２倍の厚みとした
ことを特徴とする育苗箱用播種機の繰出しロール構造。
【請求項３】
請求項１記載の育苗箱用播種機の繰出しロール構造において、
前記単位樹脂板において、外周から１０ｍｍ程度まで、前記単位樹脂板の厚さが薄くなる方向の０．５ｍｍの段差を両面に設け、２枚の前記単位樹脂板の間にできる外周間隙を異物掻出しフォークが嵌入する掻出しフォーク凹部として構成した
ことを特徴とする育苗箱用播種機の繰出しロール構造。
【請求項４】
請求項１記載の育苗箱用播種機の繰出しロール構造において、
前記単位樹脂板を育苗箱の幅以上の厚さに重ね、このとき、前記単位繰出凹状溝部の重ね方によって異なる前記繰出凹状溝部の形状の前記繰出しロールを作る
ことを特徴とする育苗箱用播種機の繰出しロール構造。
【請求項５】
請求項４記載の育苗箱用播種機の繰出しロール構造において、
前記単位繰出凹状溝部を全て同じ前記位置決め用穴位置で重ね、横一直線の前記繰出凹状溝部とした
ことを特徴とする育苗箱用播種機の繰出しロール構造。
【請求項６】
請求項４記載の育苗箱用播種機の繰出しロール構造において、
前記単位樹脂板の単位繰出凹状溝部を１枚ずつ４５度回転させて重ねて、千鳥状の前記繰出凹状溝部とした
ことを特徴とする育苗箱用播種機の繰出しロール構造。
【請求項７】
請求項１記載の育苗用播種機の繰出しロール構造において、
前記単位樹脂板の間に、外周に前記単位繰出凹状溝部が設けられていないドーナツ状の単位樹脂板を介装し、
前記単位繰出凹状溝部の設けられた単位樹脂板と、前記単位繰出凹状溝部のない単位樹脂板を一体的に固定して前記繰出しロールを構成した
ことを特徴とする育苗用播種機の繰出しロール構造。
【請求項８】
請求項１記載の育苗箱用播種機の繰出しロール構造において、
左右の円盤部材の中心と主軸１本、外周の副軸４本を溶接した前記フレーム構造体に、前記繰出しロールを嵌めて、
両サイドをロール側面板を当ててネジで固定し、繰出しロールアッセンブリーとした
ことを特徴とする育苗箱用播種機の繰出しロール構造。
【請求項９】
請求項１から請求項７のいずれか一項に記載の育苗箱用播種機の繰出しロール構造において、
前記単位樹脂板を射出成形にて加工する
ことを特徴とする育苗箱用播種機の繰出しロール構造。
【発明の詳細な説明】
【技術分野】
【０００１】
本発明は、水稲の種籾を播種する育苗箱用播種機において、育苗箱用播種機のホッパーからの種籾を繰り出して、苗箱の苗床に一定量を落下させる繰出しロールの構造に関する発明である。
【背景技術】
【０００２】
従来、水稲育苗箱用播種機の播種装置に関する技術は、特許文献１の如き技術が公知となっているのである。
従来の水稲育苗箱用播種機においては、一本の円筒状の繰出しロールの外周に、連続した、かつ一定間隔をおいて、横一直線の繰出凹部を多数形成した播種装置が公知となっている。
【先行技術文献】
【特許文献】
【０００３】
【特許文献１】特開２０１０−１１９３７２号公報
【発明の概要】
【発明が解決しようとする課題】
【０００４】
上記従来の繰出しロールにおいては、１本の繰出しロールの外周に穿設した繰出凹状溝部は、１本の円筒の材料に溝部を加工することにより構成していたので、加工コストが高くなり、また円筒状の一体構造のため、部品代が非常に高かったのである。
【０００５】
また、従来の繰出しロールは軸心線に並行な溝が多数穿設された形状であったが、農家によっては、育苗箱に条播、即ち、横一直線の凹部と垂直方向に筋条に播く方法とすることもあり、この場合には、繰出しロールの外周の異なるものを組み込んだ専用播種機を購入するしかなかったのである。
【０００６】
これらの従来の一種類の凹状溝の形状であったことによる、不便さを、繰出しロールを複数枚の単位樹脂板を重合して一体化することにより構成して、解消しようとするものである。
また、従来は繰出凹状溝部が繰出しロールの軸心線に並行な溝だけだったので、種子回転ブラシが接触する繰出しロールの外周面の位置と、種子回転ブラシが接触しない横状溝凹部ができて、種子回転ブラシの消耗が一定でないという問題もあったのである。
これも、繰出しロールの軸心線に平行な横状溝形状の繰出し凹部を形成しているだけの為に発生していたものであり、これが原因で高速回転時にブリッジを起こすという課題も発生していたのである。
本発明は、これらの課題も解消できたのである。
【課題を解決するための手段】
【０００７】
本発明の解決すべき課題は以上の如くであり、次に該課題を解決する為の手段を説明する。
【０００８】
請求項１においては、育苗箱用播種機において、一定量の種子を凹部に嵌入させて繰出し、回転しながら搬送し、育苗箱へ落下させる繰出しロールにおいて、前記繰出しロールを円筒筒状のロールの外周に、前記凹部を条溝形状の繰出凹状溝部として構成し、前記繰出しロールを、ドーナツ状の単位樹脂板を複数枚重合した後に一体的に固定して構成し、前記単位樹脂板の１枚毎の外周に、前記繰出凹状溝部の一部としての単位繰出凹状溝部を構成する溝を穿設し、前記単位樹脂板の外周には、前記単位繰出凹状溝部を６０箇所設け、また内周には、フレーム構造体に係合させる為の半円状の穴を等配合に円周８カ所に設け、前記単位樹脂板を積み重ねるための位置決め用穴を等配合に円周８カ所に設けた育苗箱用播種機の繰出しロール構造である。
【０００９】
請求項２においては、請求項１記載の育苗箱用播種機の繰出しロール構造において、前記単位樹脂板における、前記繰出しロールの軸心方向の厚さを、種籾の長手方向の長さの１．５〜２倍の厚みとしたものである。
【００１０】
請求項３においては、請求項１記載の育苗箱用播種機の繰出しロール構造において、前記単位樹脂板において、外周から１０ｍｍ程度まで、前記単位樹脂板の厚さが薄くなる方向の０．５ｍｍの段差を両面に設け、２枚の前記単位樹脂板の間にできる外周間隙を異物掻出しフォークが嵌入する掻出しフォーク凹部として構成したものである。
【００１１】
請求項４においては、請求項１記載の育苗箱用播種機の繰出しロール構造において、前記単位樹脂板を育苗箱の幅以上の厚さに重ね、このとき、前記単位繰出凹状溝部の重ね方によって異なる前記繰出凹状溝部の形状の前記繰出しロールを作ることができるものである。
【００１２】
請求項５においては、請求項４記載の育苗箱用播種機の繰出しロール構造において、前記単位繰出凹状溝部を全て同じ前記位置決め用穴位置で重ね、横一直線の前記繰出凹状溝部としたものである。
【００１３】
請求項６においては、請求項４記載の育苗箱用播種機の繰出しロール構造において、前記単位樹脂板の単位繰出凹状溝部を１枚ずつ４５度回転させて重ねて、千鳥状の凹部としたものである。
【００１４】
請求項７においては、請求項１記載の育苗用播種機の繰出しロール構造において、前記単位樹脂板の間に、外周に前記単位繰出凹状溝部が設けられていないドーナツ状の単位樹脂板を介装し、前記単位繰出凹状溝部の設けられた単位樹脂板と、前記単位繰出凹状溝部のない単位樹脂板を一体的に固定して前記繰出しロールを構成したものである。
【００１５】
請求項８においては、請求項１記載の育苗箱用播種機の繰出しロール構造において、左右の円盤部材の中心と主軸１本、外周の副軸４本を溶接した前記フレーム構造体２に、前記繰出しロールを嵌めて、両サイドをロール側面板を当ててネジで固定し、繰出しロールアッセンブリーとしたものである。
【００１６】
請求項９においては、請求項１から請求項７のいずれかに記載の育苗箱用播種機の繰出しロール構造において、前記単位樹脂板を射出成形にて加工するものである。
【発明の効果】
【００１７】
本発明の効果として、以下に示すような効果を奏する。
【００１８】
単位樹脂板を射出成形にて加工できるため繰出しロールを安価に作ることができる。例えば、１台の繰出しロールに４０枚使用するため金型の償却も早いのである。
また、部分的な繰出しロールの破損は、部品交換で対応可能となるのである。
また、繰出しロールを千鳥配列で重ねることにより、公知技術より均一な散播をする為の理想である、碁盤目形状の凹状溝ができるのである。
また、繰出しロールを重ねる間に、凹凸のない樹脂板を挟めば、条播に対応できる繰出しロールが作れるという効果を奏するものである。
【図面の簡単な説明】
【００１９】
【図１】育苗箱用播種プラントの全体斜視図。
【図２】育苗箱用播種機の中の播種装置の側面透視図。
【図３】繰出しロールの全体正面図。
【図４】繰出しロールのフレーム構造体の全体正面図。
【図５】繰出しロールのフレーム構造体の側面図。
【図６】繰出しロールを構成する単位樹脂板の正面図。
【図７】単位樹脂板の側面図。
【図８】単位樹脂板を３枚重合させた状態の斜視図。
【図９】単位樹脂板をばらばらに配置した状態の斜視図。
【図１０】複数枚の単位樹脂板を「千鳥配列」とした状態の正面図。
【図１１】複数枚の単位樹脂板を「二枚重ね千鳥」とした状態の正面図。
【図１２】複数例の単位樹脂板を「条播用の配列」とした状態の正面図。
【発明を実施するための形態】
【００２０】
以下、本発明を実施するための形態について図面に基づいて説明する。
【００２１】
図１において、水稲用の育苗箱用プラントの全体構造について説明する。水稲用の育苗箱用機プラントは、駆動レールＲの上において播種時に育苗箱を移動させる。搬送方向Ｆから順に、駆動装置Ｈと、床土供給装置Ａと、床土均平装置Ｅと、灌水装置Ｄと、育苗箱用播種機Ｂと、覆土装置Ｃとが配置されている。該駆動レールＲの上を、育苗箱が駆動ロール５により駆動されて移送される間に、育苗箱内に床土供給装置Ａにより床土が投入されて、床土と種子の上を床土均平装置Ｅにより均平され、灌水装置Ｄにより灌水が行われ、次に、育苗箱用播種機Ｂにより種子である種籾が播種され、更に、覆土装置Ｃにより覆土が行われて、播種作業が終了するように構成されている。
【００２２】
この育苗箱用プラントの中で、前記育苗箱用播種機Ｂにおける、繰出しロールＫの円筒部と、繰出凹状溝部をどのように構成するかに関するものである。図２において、育苗箱用播種機Ｂにおける繰出しロールＫの配置について説明する。育苗箱用播種機Ｂは、上部に種子ホッパー１８を配置し、該種子ホッパー１８の内部に、播種する水稲の種籾を投入する。
【００２３】
前記種子ホッパー１８の下部には、シャッター４０が配置されており、該シャッター４０を開閉操作するシャッター操作部３９が設けられている。該シャッター４０から落下した種子は、繰出しロールＫと種子回転ブラシ３３の間の空間に位置し、該繰出しロールＫの周囲の繰出凹状溝部内にその種籾の一部が落下する。
【００２４】
前記繰出しロールＫは、育苗箱用播種機Ｂの左右のフレーム側板１４Ｌ・１４Ｒの間に架設されており、モータにより回転される。前記種子ホッパー１８から落下しても、繰出しロールＫの繰出凹状溝部内に嵌入しないで、溢れた種子は、繰出しロールＫの回転と共に、該繰出しロールＫの回転方向Ｖとは逆の方向に回転している種子回転ブラシ３３により掻き取られて、前記シャッター４０の下部の位置に戻る。
【００２５】
前記種子ホッパー１８は、前記播種装置Ｂを構成する左右のフレーム側板１４Ｌ・１４Ｒの間に支持されており、該フレーム側板１４Ｌ・１４Ｒの内側に、駆動モーターが固設されて、該駆動モーターから繰出しロールＫが駆動されている。繰出しロールＫの繰出凹状溝部内に挟まれた状態で落下しなかった種籾を、掻きだして落下させるための異物掻出しフォーク１２がフレーム側板１４Ｌ・１４Ｒの間に架設されている。
【００２６】
前記異物掻出しフォーク１２は、図２の側面図に示すように、涙滴状の形状の板を、繰出しロールＫの外周部分に設けた掻出しフォーク凹部９の数だけ、２本の支持軸に架設連設して、フレーム側板１４Ｌ・１４Ｒの幅に至るように構成されている。該２枚の単位樹脂板１の間の外周の間隙が掻出しフォーク凹部９となり、異物掻出しフォーク１２が嵌入するように配置されているのである。図２に示す繰出しロールＫの実施例の図面においては、該掻出しフォーク凹部９は、７．１５ｍｍの間隔で、４０本が穿設されており、異物掻出しフォーク１２も、７．１５ｍｍの間隔で、４０本がセットに同一間隔で固設された構成とされている。
【００２７】
図３から図１２において、育苗箱用播種機Ｂは、一定量の種子を凹部に嵌入させて繰出し、回転しながら搬送し、育苗容器の育苗位置に落下させる繰出しロールＫにおいて、該繰出しロールＫを円筒筒状のロールの外周に、種子の一定量を嵌入させる凹部を、条溝形状の繰出凹状溝部として構成している。該円筒筒状の繰出しロールＫは、ドーナツ状の単位樹脂板１を、複数枚重合した後に一体的に固定して構成し、該ドーナツ状の単位樹脂板１の１枚毎の外周に、前記繰出凹状溝部の一部としての単位繰出凹状溝部１ａを構成する溝を穿設させているのである。
【００２８】
そして、図７において図示する如く、前記繰出しロールＫを構成するドーナツ状の単位樹脂板１における、繰出ロールの軸心方向の厚さを、種籾の長手方向の長さの１．５〜２倍の厚みである７．５ｍｍ程度としているのである。このような厚さに構成することにより、繰出凹状溝部に種籾が嵌入しやすく、また下方において落下しやすい形状にすることができるのである。
【００２９】
また、図７において図示する如く、前記繰出しロールＫを構成するドーナツ状の単位樹脂板１において、外周から１０ｍｍ程度まで、単位樹脂板１の厚さが薄くなる方向の０．５ｍｍの段差１ｄを両面に設けているのである。該薄くなった段差１ｄ部分は、２枚を重合した場合に間に、間隙ができるので、この間隙を異物掻出しフォーク１２の掻出しフォーク凹部９とすることができるのである。このように、該幅薄とした段差１ｄ部分の間にできる間隙を、繰出しロール軸２ｂに垂直で、異物掻出しフォーク１２が嵌入する掻出しフォーク凹部９とすることができるのである。該異物掻出しフォーク１２の単位繰出凹状溝部１ａ内に詰まった種籾の取り出し作業に効果的な、掻出しフォーク凹部９を構成することができるのである。
【００３０】
また、図６において図示する如く、前記繰出しロールＫを構成するドーナツ状の単位樹脂板１において、外周に種籾の嵌入する単位繰出凹状溝部１ａを６０個設けて、各々の単位繰出凹状溝部１ａの間隔角度は６度の間隔としている。また内周には、フレーム構造体２に係合させる為の半円状の穴１ｂを４５度毎の間隔で８カ所に設け、上記の樹脂板を積み重ねるための、位置決め用穴１ｃとノッチ６を円周８カ所に等配合に設けたものである。該位置決め用穴１ｃに嵌合する為のノッチ６は、ドーナツ状の単位樹脂板１の位置決め用穴１ｃと対向する位置に、円周上に８箇所だけ設けている。
【００３１】
前記ノッチ６と位置決め用穴１ｃとを、４５度回転して、入れ換えて挿入することにより、各々連続する２枚のドーナツ状の単位樹脂板１の間の位置決めをすることができるのである。該ノッチ６と位置決め用穴１ｃとの挿入による位置決めを、全部の４０枚において、繰り返して挿入して、位置決めをした状態が図３に図示されている状態である。また、前記ドーナツ状の単位樹脂板１を射出成形にて加工できるように構成して、樹脂の射出成形機を使えば、同一形状のドーナツ状の単位樹脂板１を、低コストで製造することができるように構成しているのである。
【００３２】
また、図１０と図１１と図１２に示す如くに、前記ドーナツ状の単位樹脂板１を育苗箱の幅以上の厚さに重ね、このとき、単位繰出凹状溝部１ａの重ね方によって異なる単位繰出凹状溝部１ａの形状の繰出しロールを作ることができるように構成しているのである。即ち、繰出しロールＫの左右の幅は、育苗箱の上面を超える幅が必要であるので、本個においては、４０枚のドーナツ状の単位樹脂板１を重合させて、育苗箱の幅を超えた幅としているのである。
【００３３】
即ち、図３において図示する如く、前記単位繰出凹状溝部１ａを全て同じ穴位置で重ねれば、横一直線の繰出凹部を有するように構成することも可能である。この場合の繰出凹状溝部は一般的な繰出しロールＫと同じであり、一般的な育苗箱用播種機の分割式繰出しロールを製造することができるのである。
【００３４】
また、図１０に図示した如く、図３に示すドーナツ状の単位樹脂板１の組み合わせ状態から、前記単位樹脂板１の単位繰出凹状溝部１ａを１枚ずつ４５度回転させて重ねれば、千鳥状の凹部を有する繰出しロールとすることができるのである。
【００３５】
また、図３に図示する如く、左右の円盤部材の中心と主軸１本、外周の副軸４本を溶接したフレーム構造体２に、ドーナツ状（円環状）の単位樹脂板１を重ねた繰出しロールを嵌めて、両サイドをロール側面板３を当てて、その上からネジ４により固定し、繰出しロールアッセンブリーとしているのである。該フレーム構造体２が繰出しロールＫの骨組みを構成し、繰出しロール軸２ｂと側板２ｃが、骨格となっているのである。また、係止軸２ａは、外周のフレームであると同時に、ドーナツ状の単位樹脂板１を纏める為の係止軸の役目もしているのである。
【００３６】
前記繰出しロールＫは、図４と図５において図示したフレーム構造体２の上に、ドーナツ状の単位樹脂板１を複数重合させて固定することにより、図３のように、１本の繰出しロールＫができ上がるのである。該４０枚の重合したドーナツ状の単位樹脂板１の組立固定においては、該４０枚の外側に配置した円板状のロール側面板３の側面から、固定用のネジ４を螺装することにより固定しているのである。
【００３７】
前記フレーム構造体２は図４と図５において図示した如く、中央に１本の繰出しロール軸２ｂが貫通しており、該繰出しロール軸２ｂから放射状に伸びた側板２ｃを具備し、該側板２ｃの９０度に分割された位置に、係止軸２ａが４本架設されている。該係止軸２ａは、軸の半円の外周部に、ドーナツ状の単位樹脂板１の内周に穿設されている係合させる為の半円状の穴１ｂが係合するように構成されている。
【００３８】
前記フレーム構造体２における係合させる為の半円状の穴１ｂは、４５度の間隔で８穴が設けられており、フレーム構造体２の係止軸２ａは、９０度間隔に４本が架設されているので、この係止軸２ａと係合させる為の半円状の穴１ｂの対向する位置をずらすことが可能となっているのである。
【００３９】
このように、単位繰出凹状溝部１ａが６０箇所に設けられているので、各々の間隔は６度である。これに対して、係止軸２ａの位置は、４箇所で９０度の間隔である。故に、係止軸２ａと係合させる為の半円状の穴１ｂは、一致する位置と、不一致の位置が、位置決め用穴１ｃとノッチ６の位置に対して交互に配置されることとなる。即ち、位置決め用穴１ｃとノッチ６の位置を、４５度変更することにより、このフレーム構造体２に対するドーナツ状の単位樹脂板１の係合位置が相違することにより、単位繰出凹状溝部１ａがずれた状態の、繰出しロールＫを構成することができるのである。
【００４０】
図３において図示した繰出しロールＫは、全部で４０枚のドーナツ状の単位樹脂板１を、全て同じ単位繰出凹状溝部１ａの位置となる状態で、フレーム構造体２に係合させて組立てたものである。これは、繰出しロール軸２ｂと並行して直線状の単位繰出凹状溝部１ａが構成されている繰出しロールＫである。
【００４１】
図１０においては、ドーナツ状の単位樹脂板１を１枚ずつ交互に４５度ずらして固定配置した繰出しロールＫであり、「千鳥配置」となっている。この場合には、単位繰出凹状溝部１ａが交互に千鳥状に構成されているのである。図１１においては、ドーナツ状の単位樹脂板１を２枚ずつを交互に、４５度ずらして配置しており、２枚分の単位繰出凹状溝部１が、千鳥状に構成された場合である。
【００４２】
図１２においては、播種の形態の中の一つである「条播」が可能な単位繰出凹状溝部１ａの配置とする為に、繰出しロール軸２ｂと直交する方向に単位繰出凹状溝部１ａができるように構成している。この場合には、１枚ずつのドーナツ状の単位樹脂板１の間に、単位繰出凹状溝部１ａの設けられていない円形のドーナツ状の単位樹脂板７を挟んで繰出しロールＫを構成しているのである。
【符号の説明】
【００４３】
Ａ  床土供給装置
Ｂ  育苗箱用播種機
Ｃ  覆土装置
Ｄ  灌水装置
Ｅ  床土均平装置
Ｆ  搬送方向
Ｋ  繰出しロール
Ｒ  駆動レール
１ 単位樹脂板
１ａ  単位繰出凹状溝部
１ｂ  半円状の穴
１ｃ  位置決め用穴
１ｄ  段差
２  フレーム構造体
２ａ  係止軸
２ｂ  繰出しロール軸
２ｃ  側板
３    ロール側面板
４    螺子
６  ノッチ
７  単位繰出凹状溝部のない単位樹脂板
９  掻出しフォーク凹部
１２  異物掻出しフォーク
１８  種子ホッパー
３３  種子回転ブラシ
３５  種子案内ガイド
３９  シャッター操作部
４０  シャッター
【図１】
0006771175.tif 000002
【図２】
0006771175.tif 000003
【図３】
0006771175.tif 000004
【図４】
0006771175.tif 000005
【図５】
0006771175.tif 000006
【図６】
0006771175.tif 000007
【図７】
0006771175.tif 000008
【図８】
0006771175.tif 000009
【図９】
0006771175.tif 000010
【図１０】
0006771175.tif 000011
【図１１】
0006771175.tif 000012
【図１２】
0006771175.tif 000013